(57)【特許請求の範囲】
【請求項１】
複数のアンテナと、
通信するノードを識別するためのノード識別情報とアンテナを識別するためのアンテナ選択情報とを互いに対応付けて記憶するアンテナ対応テーブルと、
ノード識別情報に応じて前記アンテナ対応テーブルに基づいてアンテナ選択情報を得るアンテナ選択手段と、
前記アンテナ選択情報により選択されたアンテナを用いて送信或いは受信を行う送受信手段を有する無線通信装置であって、
前記アンテナ対応テーブルを更新する際は、
送信に用いる前記アンテナ選択情報を含んだ測定フレームを複数生成し、それぞれのフレームの前記アンテナ選択情報が示すアンテナを用いて前記測定フレームを他のノードへ送信し、
前記他のノードから、前記他のノードとの通信の際に、自ノードが送信に用いるべきアンテナと、前記他のノードが受信に用いるべきアンテナとの組を示す情報を受信し、受信した情報に基づいて前記アンテナ対応テーブルを更新することを特徴とする無線通信装置。
【請求項２】
複数のアンテナと、
通信するノードを識別するためのノード識別情報とアンテナを識別するためのアンテナ選択情報とを互いに対応付けて記憶するアンテナ対応テーブルと、
ノード識別情報に応じて前記アンテナ対応テーブルに基づいてアンテナ選択情報を得るアンテナ選択手段と、
前記アンテナ選択情報により選択されたアンテナを用いて送信或いは受信を行う送受信手段を有する無線通信装置であって、
前記他のノードから、当該他のノードが送信に用いた前記アンテナ選択情報を含んだ測定フレームを複数の前記アンテナを用いて受信し、
前記他のノードが送信に用いたアンテナと、自ノードが受信に用いたアンテナとを対応させて通信品質を測定して記憶し、測定した通信品質から、前記他のノードとの通信の際に、前記他のノードが送信に用いるべきアンテナと、自ノードが受信に用いるべきアンテナの組を選択して、当該アンテナの組を示す情報を前記他のノードへ送信することを特徴とする無線通信装置。
【請求項３】
請求項１または請求項２において、
アンテナを切り替えるアンテナ切替手段を有し、
前記アンテナ切替手段は、
前記アンテナ選択情報に応じて、
送信或いは受信を行うアンテナに切り替えることを特徴とする無線通信装置。
【請求項４】
請求項３において、
通信状態の測定を行う無線状態測定手段を有し、
前記複数のアンテナを逐次切り替えて受信し、
予め定めたレベル以上の信号を受信した場合に当該アンテナに固定して受信を行うものであり、
前記無線状態測定手段は、
前記固定された通信状態の測定を行うことを特徴とする無線通信装置。
【請求項５】
請求項１または請求項２において、
周辺構造物の形状データと電気的材質データとに応じた伝搬モデルを記憶しており、
該伝搬モデルを用いて電波伝搬推定計算を行い、
該無線ノード間の通信状態閾値を算出する伝搬状態推定手段を有し、
該通信状態閾値を用いて前記アンテナ対応テーブルを生成することを特徴とする無線通信装置。
【請求項６】
請求項１または請求項２において、
測定した他のノードとの通信状態が通信状態閾値から劣化していると判定した場合に、
無線ノードのノード識別情報、
無線ノードのアンテナ数及び前記他のノードのノード識別情報とを含む設定要求フレームを送信し、
前記設定要求フレームに応答した、
前記他のノードのノード識別情報及び前記他のノードの選択したアンテナ識別情報を含む測定フレームを受信し、
前記測定フレームの通信状態を測定し、
前記他のノードの各アンテナとの組合せのうち通信状態の良好な組合せの情報を含む測定応答フレームを前記他のノードに送信することを特徴とする無線通信装置。
【請求項７】
複数のノードを有した無線ネットワークシステムにおいて、前記ノードの各々は、複数のアンテナと、
通信するノードを識別するためのノード識別情報とアンテナを識別するためのアンテナ選択情報とを互いに対応付けて記憶するアンテナ対応テーブルと、
ノード識別情報に応じて前記アンテナ対応テーブルに基づいてアンテナ選択情報を得るアンテナ選択手段と、
前記アンテナ選択情報により選択されたアンテナを用いて送信或いは受信を行う送受信手段を有し、
前記複数のノードのうち第一のノードは、
送信に用いる前記アンテナ選択情報を含んだ測定フレームを複数生成し、それぞれのフレームの前記アンテナ選択情報が示すアンテナを用いて前記測定フレームを送信し、
前記複数のノードのうち第二のノードは、
前記測定フレームを複数の前記アンテナを用いて受信し、前記第一のノードが送信に用いたアンテナと、前記第二のノードが受信に用いたアンテナとを対応させて通信品質を測定して記憶し、測定した通信品質から、前記第一のノードとの通信の際に、前記第一のノードが送信に用いるべきアンテナと、前記第二のノードが受信に用いるべきアンテナの組を選択して、当該アンテナの組を示す情報を前記第一のノードへ送信し、
前記アンテナの組を示す情報を受信した前記第一のノードは、当該情報に基づいて前記アンテナ対応テーブルを更新
することを特徴とする無線ネットワークシステム。
【請求項８】
複数のノードを有した無線ネットワークシステムにおいて、前記ノードの各々は、複数のアンテナと、
通信するノードを識別するためのノード識別情報とアンテナを識別するためのアンテナ選択情報とを互いに対応付けて記憶するアンテナ対応テーブルと、
ノード識別情報に応じて前記アンテナ対応テーブルに基づいてアンテナ選択情報を得るアンテナ選択手段と、
前記アンテナ選択情報により選択されたアンテナを用いて送信或いは受信を行う送受信手段を有し、
前記複数のノードのうち第一のノードは、
送信に用いる前記アンテナ選択情報を含んだ測定フレームを複数生成し、それぞれのフレームの前記アンテナ選択情報が示すアンテナを用いて前記測定フレームを送信し、
前記複数のノードのうち第二のノードは、
前記測定フレームを複数の前記アンテナを用いて受信し、前記第一のノードが送信に用いたアンテナと、前記第二のノードが受信に用いたアンテナとを対応させて通信品質を測定して記憶し、測定した通信品質から、前記第一のノードとの通信の際に、前記第一のノードが送信に用いるべきアンテナと、前記第二のノードが受信に用いるべきアンテナの組を選択して、当該アンテナの組を示す情報を前記第一のノードへ送信し、
前記アンテナの組を示す情報を受信した前記第一のノードは、当該情報に基づいて前記アンテナ対応テーブルを更新する
無線通信方法。
【発明の詳細な説明】
【技術分野】
【０００１】
本発明は、無線通信装置，無線ネットワークシステム及び無線通信方法に係り、特に、プラントなどの環境において、ネットワーク構築，無線ノード間の通信を確実に行うための伝送経路設計、及び伝送経路環境の維持管理に好適な無線通信装置，無線ネットワークシステム及び無線通信方法に関する。
【背景技術】
【０００２】
従来、プラントなどの設備における機器の監視や制御において必要とされるセンサ情報や制御情報は、ケーブル接続によって伝送されていたが、この伝送には膨大なケーブルの設置コストやメンテナンスコストが必要であった。このため、近年は、ケーブルを設置することなく無線ネットワークを利用して、プラントの監視や制御に必要な情報を伝送することが要請されている。
【０００３】
プラント設備のような環境では、周辺に金属性の構造物が多く、その構造物による反射，回折等の物理現象によって、電波の送受を行う無線ノード間の電波経路として多数のマルチパスが存在しうる。また、無線ノードの配置にも制限があるため、かならずしも無線ノード間が見通しになるとは限らない。このため、主要な無線伝送路がマルチパス経路となる可能性が高く、通信状態が不安定になることが多い。
【０００４】
また、プラント設備は長期間に渡って継続的に使用されるため、無線ネットワークの構築当初には存在しなかった新たな設備が設置され、それが無線障害となって通信が不可能になってしまうということも発生しうる。
【０００５】
そのため、例えば非特許文献１に記載のように、相手局に送信するためのアンテナを複数持ち、自局のアンテナを切り替えながら相手局が周期的に送信する基準信号を受信し、相手局に送信する際には、最も受信品質の良かったアンテナを使用する技術が知られている。
【０００６】
あるいは、例えば特許文献１に記載のように、経路構築手段，データ収集手段，再構築手段を持ち、規定回数送受信を失敗すると、再構築手段により経路変更を行う技術が知られている。
【先行技術文献】
【特許文献】
【０００７】
【特許文献１】特開２００７−２４３７９４号公報
【非特許文献】
【０００８】
【非特許文献１】「Wireless in-building network architecture and protocols」D.Buchholz他，IEEE Network Magazine, pp.31-38, Nov.1991.
【発明の概要】
【発明が解決しようとする課題】
【０００９】
しかしながら、マルチパス経路が主要な伝送路となる環境では、無線ノードの設置時と運用時とで、環境の変化、例えばクレーン等の移動，金属体の扉・窓等の開閉，作業者の移動などにより周囲の電波環境が大きく変動してしまう。
【００１０】
特に、送受信する無線ノード間を直接見通しで結んだ直線以外の経路が主要通信路である場合には、このような影響を受けやすい。
【００１１】
このため、無線ノードの設置時には十分受信可能であった場所でも、その運用時には、時間によって通信不能となったり、全く通信できなくなったりということが発生してしまう。
【００１２】
また、プラント内のような無線ノードの配置場所に大きな制限があったり、障害物が多く、無線電波が遠くまで飛ばなかったりする場所では、狭いエリアでも多くの無線ノードを配置する必要が生じ、無線ネットワークの構築コストが上がってしまうことになる。
【００１３】
このようなことにおいて、非特許文献１記載の技術は、常時最適なアンテナが変わるために、定期的に基地局側から送信する基準信号を参照して、移動端末局から最良とみなすことのできるアンテナから基準信号を受けたアンテナとの通信タイミングで通信を行うものであるのだが、しかしながら、周囲環境の瞬間的な変動による無線信号の変化に引きずられ、ある瞬間には片方がよくとも、次の瞬間には元のアンテナの方が良いということもあり得るため、通信が不安定になるということが問題となる。
【００１４】
一方、特許文献１記載の技術は、確実に通信が駄目になったと判断してから再度ネットワークを構築するため、数回程度の失敗を許容することで、ネットワークの不安定性を回避しようとするものであるが、プラントの計装制御のようなリアルタイム性の高いシステムに適用するためには、複数回の通信失敗は許容できず、できる限り通信に失敗が起きないように配慮する必要がある。
【００１５】
本発明は、上記問題に鑑み、運用中に、無線電波の伝搬環境が変化した場合でも、変化に応じて適切にアンテナを切り替え、継続して通信を行うことが可能な、無線通信装置，無線ネットワークシステム及び無線通信方法を提供することを目的とする。
【課題を解決するための手段】
【００１６】
上記目的を達成するために、本発明では、通信するノードを識別するためのノード識別情報とアンテナを選択するためのアンテナ選択情報とを互いに対応付けて記憶するアンテナ対応テーブルから、ノード識別情報に応じてアンテナ対応テーブルに基づいてアンテナ選択情報を得て、アンテナ選択情報により選択されたアンテナを用いて送信或いは受信を行うように構成した。
【発明の効果】
【００１７】
本発明によれば、無線電波の伝搬環境が変化した場合でも、変化に応じて適切にアンテナを切り替え、継続して通信を行うことが可能となり、そのため、具体的には、無線ネットワークの構築範囲を容易に拡張することが可能となり、低コストで広範囲な無線ネットワークを構築することが可能となり、あるいは、無線環境に変化があった場合でも、自動的に別のアンテナを使用することにより、長期間のメンテナンスコストを抑えることが可能となる。
【図面の簡単な説明】
【００１８】
【図１】本発明における無線ネットワークを構成する無線ノードの実施例である。
【図２】無線ノードとアンテナの配置例を示す図である。
【図３】設定モードにおける送信側無線ノードの実施例である。
【図４】設定モードにおける受信側無線ノードの実施例である。
【図５】設定モードにおける受信側無線ノードの実施例である。
【発明を実施するための形態】
【００１９】
本発明を実施するのに好適な実施例を以下に図面を用いて説明する。
【実施例１】
【００２０】
図１は、本発明の一実施例を示す図である。
【００２１】
１０１は、本発明における無線ネットワークを構成する無線ノードの一例である。
【００２２】
無線ノード１０１は、送受信情報を処理する処理手段１０２と、送信情報を無線信号に変換して出力する送信手段１０３と、受信した無線信号から情報を取り出して出力する受信手段１０４と、異なる場所に配置した複数のアンテナ１０５ａ〜１０５ｄ（一例として４個のアンテナを図示）と、各アンテナの入出力を切り替えるアンテナ切り替え手段１０６と、アンテナ対応テーブル１１１を記憶する記憶手段１１０とから構成される。
【００２３】
また、図１には、他の無線ノード１０１ａ，１０１ｂ，１０１ｃの３つの無線ノードを図示している。また、無線ノードはこの他にも存在していてもよい。
【００２４】
各無線ノード１０１，１０１ａ，１０１ｂ，１０１ｃは、それぞれ他の無線ノードと識別可能なＩＤを持つ。
【００２５】
アンテナ対応テーブル１１１は、無線ノード１０１が通信の対象とする無線ノードのＩＤと、該無線ノードに対して送信するために用いるアンテナＩＤを含む。
【００２６】
処理手段１０２は、他の無線ノードと通信する情報の処理を行う。
【００２７】
処理手段１０２は、処理内容によって、送信情報の宛先となる無線ノードを指定し、送信手段１０３に対して送信情報とともに出力する。
【００２８】
送信手段１０３は、送信先となる無線ノードのＩＤを元に、記憶手段１１０に保持するアンテナ対応テーブルを検索し、選択するべきアンテナＩＤを得る。
【００２９】
送信手段１０３は、当該アンテナＩＤにより、アンテナ切り替え手段１０６に対してアンテナ選択信号を出力する。
【００３０】
アンテナ切り替え手段１０６は、アンテナ選択信号の入力に従い、指定されたアンテナへ切り替える。
【００３１】
送信手段１０３は、送信情報を、既定の無線仕様に従い、適切な無線信号に変換し、アンテナ切り替え手段１０６によって切り替えられたアンテナに出力する。
【００３２】
前記送信情報により、送信先の無線ノードが応答情報を返す場合は、既定の無線仕様に従って無線信号に変換された応答情報を受信し、受信手段１０４により受信した無線信号から応答情報を取り出し、処理手段１０２に出力する。
【００３３】
図２に、具体的な無線ノード配置およびアンテナ配置例を示す。
【００３４】
２００は、本発明における無線ネットワークの対象となる領域であり、対象エリアと呼ぶ。
【００３５】
図では、説明のため二次元で示しているが、現実には立体的な三次元空間である。
【００３６】
図２は、対象エリア２００内には、無線ノード１０１，１０１ａ，１０１ｂ，１０１ｃ、の４台の無線ノードを配置した例である。
【００３７】
２１０，２１１および２１２は、対象エリア内に存在する構造物を示しており、たとえば、プラント内の壁や、部屋，発電タービン，床，天井などである。誘電率や、透磁率，導電率，厚みなどの電気的材料特性と、使用する無線周波数との関係により、無線電波が強く反射されたり、あるいは透過したりするが、ここでは、金属体とみなし、無線電波は強く反射され、透過電力はほとんどないものとして説明する。
【００３８】
図２では、無線ノード１０１のみアンテナ１０６ａ，１０６ｂ，１０６ｃの３本を有し、アンテナ切り替え手段に接続するものとして説明する。他の無線ノード１０１ａ〜１０１ｃについても２つ以上のアンテナを有することが可能であるが、ここでは各一つのアンテナのみとして説明する。
【００３９】
アンテナ１０６ａは、電波経路２２１ａによって、無線ノード１０１ａのアンテナと通信可能であることを示している。また、別の電波経路２２１ｂにより、アンテナ１０６ａと無線ノード１０１ｂのアンテナとは通信可能であることを示している。
【００４０】
一方、電波経路２２２ａは、無線ノード１０１の別のアンテナ１０６ｂと無線ノード１０１ａの間の電波経路を示しているが、構造物２１１が該電波経路２２２ａを遮蔽しているため、アンテナ１０６ｂを用いて無線ノード１０１ａとの通信はできないことを示す。
【００４１】
電波経路２２２ｃについても同様であり、アンテナ１０６ｂと無線ノード１０１ｃとの間に構造物２１２が存在するため、電波経路が遮蔽され、通信不可であることを示す。
【００４２】
また、電波経路を示す矢印を図示していないが、アンテナ１０６ａと無線ノード１０１ｃ、または、アンテナ１０６ｃと無線ノード１０１ａおよび１０１ｂとの通信についても同様である。
【００４３】
以上のように、図２では、無線ノード１０１から無線ノード１０１ａに到達可能な電波経路は、２２１ａのみ、また無線ノード１０１から無線ノード１０１ｃに到達可能な電波経路は２２３ａのみである。
【００４４】
一方、無線ノード１０１から無線ノード１０１ｂに到達可能な電波経路は２２１ｂおよび、２２２ｂの２つの電波経路が存在している。
【００４５】
これら２つのうち、どちらが実際に用いる通信経路として適切かは、アンテナ間の距離，アンテナの指向特性，偏波特性，周辺構造物による反射等の影響によって異なるが、図２では、距離の近い電波経路である２２２ｂが通信経路として適切であるとする。
【００４６】
従って、無線ノード１０１における前記のアンテナ対応テーブルでは、無線ノード１０１ａに対しては、アンテナ１０６ａ，無線ノード１０１ｂに対しては、１０５ｂ、無線ノード１０１ｃに対しては、１０５ｃを対応付けることにより、無線ノード１０１は、最適なアンテナを用いて、他の無線ノード１０１ａ〜１０１ｃに対して送信情報を送ることが可能となる。
【００４７】
以上のようにして、本発明における無線ネットワークでは、各無線ノードは、複数のアンテナを持ち、各アンテナを通信相手毎に適切な位置に設置することにより、無線ノードを増やすことなく、低コストで、障害物の多い場所でも広い無線ネットワークを構築することが可能となる。
【実施例２】
【００４８】
以下に本発明における無線ノードの第二の構成例を示す。
【００４９】
本発明における無線ノードは、無線ネットワークの設定を行う設定モードと、通常の通信を行う通常モードの２種類を持つ。
【００５０】
実施例１に示した無線ノードの構成は通常モードにおける構成である。
【００５１】
実施例２では、設定モードにおける無線ノードの構成を示す。
【００５２】
図３および図４は、設定モード時に必要な無線ノードの構成を示す図であり、それぞれ送信側と受信側の構成図を示すものである。
【００５３】
図３は、送信時の設定を行う無線ノードの構成を示す。図１に示す無線ノードの構成に加え、測定フレーム生成手段３０１を有する。
【００５４】
無線ノード１０１は、外部から設定モードに移行する指示を受け付けるモード入力手段３０２を持つ。
【００５５】
モード入力手段３０２によって、処理手段１０２は、無線ネットワークの設定モードに入ると、設定要求信号３０３を生成する。
【００５６】
設定要求信号３０３には、測定周期，測定回数、および使用するアンテナＩＤ範囲を含む。
【００５７】
測定フレーム生成手段３０１は、処理手段１０２により設定要求信号を受け取ると、測定フレーム３１０を生成する。測定フレーム３１０には、無線ノード１０１を識別する無線ノードＩＤと、送信に用いるアンテナＩＤ，測定フレームの送信周期，総送信回数、これまでの送信回数を含む。
【００５８】
送信手段は、測定フレームを受け取り、送信フレームに含まれるアンテナＩＤに従い、アンテナ選択信号をアンテナ切り替え手段１０６に出力し、当該アンテナに切り替えて、測定フレームを送信する。
【００５９】
測定フレーム生成手段３０１は、設定要求信号３０３により指定された測定周期で、使用するアンテナＩＤ範囲に指定されたアンテナＩＤ毎に逐次測定フレーム３１０を生成し、送信手段に送る。
【００６０】
図４は、設定モードにおける、受信側の無線ノード１０１ａの構成を示す図である。図３に示した無線ノード１０１と同様に、モード入力手段３０２を有し、外部から設定モードに移行する指示を受け付ける。
【００６１】
また、図４に示す無線ノード１０１ａは、統計手段４０１および測定応答フレーム生成手段４０２を有する。
【００６２】
また、受信手段１０４は、測定フレーム３１０を受信すると、受信した無線信号を測定フレームデータに変換し、受信時に使用した自ノードのアンテナＩＤと、無線信号の電力強度，遅延プロファイル，ビットエラーレート等の無線信号の物理情報を測定フレーム３１０に含まれる情報に付加し、測定情報４１０を生成する。さらに、受信手段１０４は、生成した測定情報４１０を、統計手段４０１に送る。
【００６３】
統計手段４０１は、測定情報４１０を受け取ると、当該測定フレームを送信した無線ノードＩＤ，送信無線ノードにおいて、測定フレームを送信する際に使用されたアンテナの識別情報である相手アンテナＩＤ，受信した自ノードのアンテナＩＤと、受信品質の統計値を、記憶手段１１０に受信する毎に蓄積する。
【００６４】
受信手段１０４は、測定フレーム３１０を受信すると、次の測定フレームの送信周期に合わせて、自ノードのアンテナを切り替え、相手の無線ノードにおける送信予定のアンテナＩＤに対して、自ノードのアンテナのうち、既定のアンテナをすべて切り替えて受信する。
【００６５】
測定フレームの送信がすべて完了すると、想定応答フレーム生成手段４０２は、測定フレーム３１０が受信されると、測定応答フレーム４１２を生成し、相手無線ノードに送信する。
【００６６】
測定応答フレームには、蓄積した受信品質の統計情報により、相手の無線ノードにおけるアンテナと、自無線ノードにおけるアンテナのうち、最良の組合せを示す情報を含む。
【００６７】
一方、図３の送信側無線ノード１０１は、測定フレームをすべて送信し終わると、測定応答フレーム解析手段３０４において、測定応答フレーム４１２を受信すると、当該フレームを解析し、アンテナ対応テーブルにおいて、無線ノード１０１ａにおける送信アンテナＩＤを更新する。
【００６８】
本実施例のポイントを要約すると、複数の無線ノードから構成される無線ネットワークシステムであって、該無線ノードは、予め異なる場所に複数のアンテナを配置し、前記の各アンテナを、アンテナ選択信号に応じて切り替えるアンテナ切り替え手段を有し、送信情報を無線信号に変換して送信する送信手段を有し、少なくとも、送信先の他の無線ノードを識別する、無線ノードＩＤと、該無線ノードが有する前記複数のアンテナを識別する、アンテナＩＤと、を含むアンテナ対応テーブルを記憶する記憶手段を有し、前記送信手段は、他の無線ノードへ送信情報を送信する際に、前記アンテナ対応テーブルにより、該他無線ノードＩＤから対応するアンテナを得、アンテナ選択信号をアンテナ切り替え手段に出力することにより、指定のアンテナに切り替え、該アンテナを使用して、前記他無線ノードへ送信情報を送信するものである。
【００６９】
或いは、該通信先リストの各無線ノードにおける、通信状態閾値と、前記通信先リストに保持する各無線ノードとの通信状態を測定する無線状態測定手段と、該通信状態を管理し、いずれかの通信状態が、該無線ノードに対応する通信状態閾値と比較して異なる場合に、前記アンテナ対応テーブルの該無線ノードに対応するアンテナＩＤを変更するものである。
【００７０】
また、複数の送信先ノードのいずれかに対して送信情報を送信する場合に、前記アンテナ対応テーブルを用いて送信するアンテナを選択するアンテナ選択信号をアンテナ切り替え手段に送り、アンテナ切り替え手段はアンテナ選択信号に従ってアンテナを切り替えて、送信手段は、切り替えたアンテナにより、送信情報を送信するものである。
【００７１】
また、該無線ノードは、送信時以外のときには、前記複数のアンテナを逐次切り替えて受信し、予め定めたレベル以上の信号を受信した場合に、当該アンテナに固定して受信を行い、前記無線状態測定手段による通信状態の測定を行うものである。
【００７２】
また、少なくとも該無線ネットワークシステムを構成する無線ノードのアンテナ配置データと、周辺構造物の形状データと、電気的材質データとから構成する伝搬モデルを記憶する伝搬モデル記憶手段を有し、該伝搬モデルを用いて電波伝搬推定計算を行い、該無線ノード間の通信状態閾値を算出する伝搬状態推定手段を有し、該通信状態閾値を用いて、アンテナ対応テーブルを生成するものである。
【００７３】
また、無線ネットワークを構成する無線ノードにおいて、第一の無線ノードは、測定した第二の無線ノードとの通信状態が、前記通信状態閾値から劣化していると判定した場合に、少なくとも該第一の無線ノードのＩＤと、第一の無線ノードのアンテナ数と、第二の無線ノードのＩＤと、を含む設定要求フレームを生成する設定要求手段を有し、第一の無線ノードの送信手段は、該設定要求フレームを第二の無線ノードに送信し、第二の無線ノードは、該設定要求フレームを受信したときに、該第二の無線ノードが有する複数のアンテナを逐次切り替え、第二の無線ノードのＩＤと、該第二の無線ノードの選択したアンテナＩＤを含む測定フレームを生成し、第二の無線ノードは、第一の無線ノードに対して該測定フレームを送信し、第一の無線ノードは、第一の無線ノードの複数のアンテナを逐次切り替えて、該測定フレームを受信し、前記測定手段により測定フレームの通信状態を測定し、第一の無線ノードの各アンテナと、第二の無線ノードの各アンテナのうち、もっとも通信状態の良好な組合せを含む、測定応答フレームを生成する測定応答フレーム生成手段を有し、該測定応答フレームを第二の無線ノードに送信するものである。
【００７４】
以上のように、設定モードを設けることにより、最適なアンテナ対応テーブルを生成することが可能となる。
【符号の説明】
【００７５】
１０１，１０１ａ，１０１ｂ，１０１ｃ  無線ノード
１０２  処理手段
１０３  送信手段
１０４  受信手段
１０５，１０５ａ，１０５ｂ，１０５ｃ  アンテナ
１０６  アンテナ切り替え手段
１１０  記憶手段
１１１  アンテナ対応テーブル
２００  対象エリア
２１０，２１１，２１２  構造物
２２１ａ，２２１ｂ，２２２ａ，２２２ｂ，２２２ｃ，２２３ａ  電波経路
３０１  測定フレーム生成手段
３０２  モード入力手段
３０３  設定要求信号
３１０  測定フレーム
４０１  統計手段
４０２，４０４  測定応答フレーム生成手段
４０３  測定結果蓄積テーブル
４１０  測定情報
４１１  統計情報
【図１】
0005417159.tif 000002
【図２】
0005417159.tif 000003
【図３】
0005417159.tif 000004
【図４】
0005417159.tif 000005
【図５】
0005417159.tif 000006